(57)【要約】【課題】挽かれたコーヒー粉が抽出具から漏れ難くすることができるミル付きのコーヒーメーカーを提供する。【解決手段】ケース本体２に取り付けられたミル１７によって挽かれたコーヒー粉１１１を受ける、導電材料からなる抽出具としてのドリッパー８及びペーパーフィルター１０を有するコーヒーメーカー１であって、ケース本体２に導電材料からなる導電レバー２１が設けられ、ドリッパー８が導電レバー２１に接触すると共に、ケース本体２に電荷を一時的に貯める金属製の底板２２が設けられ、この底板２２が導電レバー２１と電気的に接続されるので、ミル１７によって挽かれて帯電したコーヒー粉１１１の電荷がペーパーフィルター１０からドリッパー８及び導電レバー２１を経て底板２２に移動した後、この底板２２から外部に自然放電され、この結果、コーヒー粉１１１同士が反発し難く、コーヒー粉１１１がドリッパー８から漏れ難くなる。【選択図】図１
2020031852.tif 000002
【特許請求の範囲】
【請求項１】
本体と、この本体に取り付けられたミルと、このミルによって挽かれたコーヒー粉を受ける抽出具とを有するコーヒーメーカーにおいて、
前記本体に導電材料を含む接触部材が設けられ、前記抽出具が導電材料を含んで構成され、この抽出具が前記接触部材と電気的に接触すると共に、前記本体に電荷を一時的に貯める貯電部材が設けられ、この貯電部材が前記接触部材と電気的に接続されることを特徴とするコーヒーメーカー。
【請求項２】
前記抽出具が導電性合成樹脂で構成されることを特徴とする請求項１記載のコーヒーメーカー。
【請求項３】
前記接触部材が前記抽出具の有無を検知する検知手段を兼ねることを特徴とする請求項１記載のコーヒーメーカー。
【発明の詳細な説明】
【技術分野】
【０００１】
本発明は、コーヒー豆を粉砕するミルを有するコーヒーメーカーに関するものである。
【背景技術】
【０００２】
従来、この種のコーヒーメーカーとしては、ケース本体と、このケース本体に取り付けられたミルと、このミルによって挽かれた豆を受ける抽出具としてのドリッパー及びペーパーフィルターとを有する飲料抽出装置が知られている（例えば、特許文献１参照）。
【先行技術文献】
【特許文献】
【０００３】
【特許文献１】特開２０１８−３３７７２号公報
【発明の概要】
【発明が解決しようとする課題】
【０００４】
しかしながら、このようなコーヒーメーカーは、コーヒー豆を挽いてコーヒー粉にすることで静電気が発生し、帯電したコーヒー粉の粒子同士が反発してしまうので、ケース本体とドリッパーの間に隙間があると、ドリッパーからコーヒー粉が漏れてしまうという問題があった。
【０００５】
本発明は以上の問題点を解決し、挽かれたコーヒー粉が抽出具から漏れ難くすることができるミル付きのコーヒーメーカーを提供することを目的とする。
【課題を解決するための手段】
【０００６】
本発明の請求項１に記載のコーヒーメーカーは、本体と、この本体に取り付けられたミルと、このミルによって挽かれた豆を受ける抽出具とを有するコーヒーメーカーにおいて、前記本体に導電材料を含む接触部材が設けられ、前記抽出具が導電材料を含んで構成され、この抽出具が前記接触部材と電気的に接触すると共に、前記本体に電荷を一時的に貯める貯電部材が設けられ、この貯電部材が前記接触部材と電気的に接続されるものである。
【０００７】
また、本発明の請求項２に記載のコーヒーメーカーは、請求項１において、前記抽出具が導電性合成樹脂で構成されるものである。
【０００８】
更に、本発明の請求項３に記載のコーヒーメーカーは、請求項１において、前記接触部材が前記抽出具の有無を検知する検知手段を兼ねるものである。
【発明の効果】
【０００９】
本発明の請求項１に記載のコーヒーメーカーは、以上のように構成することにより、前記ミルによって挽かれて帯電したコーヒー粉が前記抽出具に接触すると、前記コーヒー粉の電荷が前記抽出具から前記接触部材を経て前記貯電部材に移動した後、この貯電部材から外部に自然放電される。この結果、コーヒー粉同士が反発し難くすることができるので、コーヒー粉が抽出具から漏れ難くすることができる。
【００１０】
なお、前記抽出具が導電性合成樹脂で構成されるので、抽出に適した形状の抽出具を容易に形成することができる。
【００１１】
また、前記接触部材が前記抽出具の有無を検知する検知手段を兼ねることで、部品の増加を抑えながら、前記コーヒーメーカーを正常に作動させることができる。
【図面の簡単な説明】
【００１２】
【図１】本発明の実施例１を示すコーヒーメーカーの縦断面図である。
【図２】同上、要部の拡大断面図である。
【図３】同上、斜視図である。
【図４】同上、右側面図である。
【図５】同上、正面図である。
【図６】同上、底面図である。
【図７】同上、飲料サーバーにドリッパーを載置した状態の拡大断面図である。
【図８】本発明の実施例２を示すコーヒーメーカーの右側面図である。
【発明を実施するための形態】
【００１３】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１４】
以下、本発明の実施例１について、図１〜図７に基づいて説明する。１は、電動ミル付きのコーヒーメーカーである。このコーヒーメーカー１の本体たるケース本体２は、後側の立設部３と、この立設部３の下部と一体的に設けられた基部４と、前記立設部３の上部と一体的に設けられた前側の庇部５とを備える。そして、これら立設部３と基部４と庇部５は、それぞれ合成樹脂からなる。また、前記基部４の前部は、載置部４Ａとなる。そして、前記立設部３には、貯水部６が設けられる。
【００１５】
前記貯水部６の底部には、図１に示すように、前記貯水部６内の水を加熱する加熱手段７が設けられる。また、ケース本体２には、前記加熱手段７により加熱して得られた湯を、抽出具としてのドリッパー８に送る送湯手段９が設けられる。なお、この送湯手段９としては、ポンプ等が例示される。
【００１６】
また、前記ドリッパー８は、前記庇部５の下方に配置される。そして、前記ドリッパー８内には、抽出具としてのペーパーフィルター１０が交換可能に配置される。
【００１７】
前記載置部４Ａは、上方が開口すると共に、この開口を塞ぐように、略平面状の加熱板１１が設けられる。そして、この加熱板１１の下面には、ヒーター１２が熱的に接して設けられる。
【００１８】
前記加熱板１１上には、飲料サーバー１３が着脱可能に載置される。この飲料サーバー１３は、上方が開口した耐熱ガラス製の容器本体１４と、この容器本体１４の側板に取り付けられた合成樹脂製の把持部１５と、前記容器本体１４の上部開口を覆う合成樹脂製の蓋体１６とを備える。
【００１９】
前記立設部３の前方には、前記載置部４Ａの飲料サーバー１３の上方に、上からミル１７と、湯供給部１８と、抽出部たる前記ドリッパー８と、前記飲料サーバー１３とが配置される。また、前記ミル１７は、前記ケース本体２の取付凹部１９に対して着脱可能に取り付けられる。なお、前記取付凹部１９は前記庇部５の上面前側に形成される。更に、前記湯供給部１８は、前記庇部５の下部側に内蔵される。
【００２０】
前記ケース本体２には、導電材料からなる接触部材たる導電レバー２１が設けられる。そして、前記ドリッパー８は、導電材料、好ましくは導電性合成樹脂から構成される。前記ドリッパー８は、図１及び図７に示すように、前記ミル１７からコーヒー粉１１１が供給される位置で前記導電レバー２１に接触する。一方、前記ケース本体２には、電荷を一時的に貯める貯電部材たる導電材料製の底板２２が設けられる。この例では、前記底板２２はステンレス板により構成される。そして、この底板２２は、導線２３を介して前記導電レバー２１と電気的に接続される。なお、前記底板２２は平板状をなし、前記ケース本体２の外面に露出する。
【００２１】
また、ステンレス製の前記底板２２は、前記ケース本体２を構成する合成樹脂より比重が大きいので、錘になる。このため、前記コーヒーメーカー１を安定して設置することができる。
【００２２】
前記底板２２は、図１、図２及び図６に示すように、ケース本体２の底面を構成する。そして、前記底板２２と前記導電レバー２１とは、前述したとおり、前記導線２３により電気的に接続される。
【００２３】
前記ミル１７は、コーヒー豆を粉砕するものである。そして、前記ミル１７は、上部に投入口２４を有するホッパー２５を備えると共に、前記投入口２４を開閉するミル蓋体２６を備える。また、前記ホッパー２５にはコーヒー豆が投入され、このコーヒー豆は、シューター部２７に送られる。このシューター部２７に送られたコーヒー豆は、図示しないミルモーターにより回転させられるミルスクリュー２９により回転刃３０と固定刃３１との間に向けて送られる。更に、コーヒー豆は、前記回転刃３０と固定刃３１との間で挽かれて、前記コーヒー粉（挽き豆）１１１となる。なお、本実施例のミル１７は、金属製円板からなる前記回転刃３０と固定刃３１を用いる臼歯式であるが、ブレードが回転してコーヒー豆を挽くタイプのミルであっても良い。
【００２４】
また、前記ミル１７の下部には落下口３２が設けられ、この落下口３２から前記コーヒー粉１１１が前記ドリッパー８の中央に落下供給される。なお、前記落下口３２は円筒状である。
【００２５】
図示しない前記ミルモーターは、前記ケース本体２に内蔵される。前記ミルモーターにより回転駆動する駆動ギヤ（図示せず）は、前記取付凹部１９に臨んで設けられると共に、前記駆動ギヤに噛合する従動ギヤ（図示せず）がミル１７に設けられる。そして、前記ミル１７を前記取付凹部１９に着脱することにより、駆動ギヤと従動ギヤの噛合と噛合解除とが行われる。
【００２６】
また、前記ミル１７には、前記コーヒー粉１１１の粉砕度合（粒度）を調整する粒度調整手段３３が設けられ、操作部である回転式のダイヤル３４を有する。前記粒度調整手段３３は、前記回転刃３０の前面と固定刃３１の後面との間隔を調整することにより、コーヒー粉の粉砕度合を調整するものである。そして、前記ダイヤル３４を回転させることにより、前記回転刃３０の前面と固定刃３１の後面との間隔を調整することができる。
【００２７】
図１に示すように、前記湯供給部１８は、合成樹脂製の湯供給ケース４１を備える。この湯供給ケース４１の中央には、前記落下口３２が着脱自在に挿入接続される挿通孔４２が縦設される。そして、前記ミル１７を前記取付凹部１９に取り付けることにより、前記挿通孔４２に前記落下口３２が接続される。また、前記挿通孔４２の下部には、この挿通孔４２の下端を開閉するシャッター４３が設けられる。このシャッター４３は板片状をなし、水平方向に進退して前記落下口３２を開閉する。
【００２８】
前記湯供給ケース４１には接続部（図示せず）が設けられ、この接続部に、前記送湯手段９から送液路（図示せず）を通して湯が送られる。そして、前記湯供給ケース４１には、前記湯を前記ドリッパー８に供給するノズル４５が複数設けられる。図中Ｓは、前記ドリッパー８及び前記落下口３２の中心である。複数の前記ノズル４５，４５・・・は、前記ドリッパー８及び前記落下口３２の中心Ｓを中心とした同心円上に配置され、前記シャッター４３を挟んでそれぞれ円周方向等間隔な位置に設けられる。
【００２９】
複数の前記ノズル４５，４５・・・は、前記ドリッパー８の中心位置より外側に位置する。そして、前記ノズル４５，４５・・・は、湯を真下より前記ドリッパー８の中央側に噴出するように角度付けされている。これにより、前記ドリッパー８の中央のみに湯が滴下されたり、外側のコーヒー粉のない部分にも湯が注がれたりすることがなく、コーヒー粉１１１の中央に凹み１１２が、外周部に壁状部分１１３が形成された状態で、良質なコーヒー液を抽出することができる。
【００３０】
この場合、図１に示すように、装着状態の前記ドリッパー８と前記庇部５の下面５Ｋとの間に隙間４６が設けられており、この隙間４６から、前記ドリッパー８内のコーヒー粉１１１に、湯が注がれて膨らむ様子を見せる演出効果が得られる。そして、前記隙間４６は、前記凹み１１２と壁状部分１１３が視認可能なように設けられる。
【００３１】
前記載置部４Ａの前部には、斜めの前面部４７が設けられる。この前面部４７には、前記コーヒーメーカー１を使用する際に操作されるスイッチ４８が複数配置される。また、図３などに示すように、前記載置部４Ａの右側面には、電源のオン・オフを操作する電源スイッチ４９が配置され、家庭用電源によりコーヒーメーカー１が駆動する。
【００３２】
図２及び図７などに示すように、前記飲料サーバー１３の蓋体１６には、前記ドリッパー８の下部を装着する装着受け部５０が設けられる。この装着受け部５０は、前記蓋体１６の下部側に凹んで形成された中央凹部５１と、この中央凹部５１の上部に周設された外凹部５４とを備える。そして、前記中央凹部５１及び外凹部５４は、前記中心Ｓを中心として同心円状に形成される。
【００３３】
前記中央凹部５１は、前記蓋体１６の上面より低い位置に設けられた中央底板部５２と、この中央底板部５２の周囲上部に設けられた円筒状の中央側板部５３とを有して形成される。一方、前記外凹部５４は、前記中央側板部５３の上縁に周設された外底板部５５と、この外底板部５５の周囲と前記蓋体１６の上面との間に設けられた円筒状の外側板部（外の側板部）５６とを有して形成される。前記外側板部５６は、前記中央側板部５３より径大である。また、前記中央底板部５２の中央には、前記ドリッパー８から落下したコーヒー液が落下する中央開口部５７が形成される。
【００３４】
また、図２に示すように、前記容器本体１４の底板部５８には、該容器本体１４より径小なリング状の段差部５９が下方に膨出形成され、この段差部５９が遊嵌するリング状の内縁枠６０が前記加熱板１１の上面に突出形成される。したがって、前記加熱板１１の上面に前記飲料サーバー１３を載置すると、前記内縁枠６０内に前記段差部５９が嵌り、前記飲料サーバー１３の水平位置が位置決めされる。
【００３５】
前記ドリッパー８は、導電材料たる導電性合成樹脂からなり、図７などに示すように、前後方向に細長く形成された底板部６１と、この底板部６１の周囲から上方に向かって略テーパー状に拡大形成された側板部６２と、この側板部６２の上縁前部に設けられた横方向の把持部６３とを一体に備える。なお、前記把持部６３は板片状をなす。また、前記ドリッパー８の底板部６１の前後方向寸法は、前記蓋体１６の中央底板部５２の直径よりも小である。
【００３６】
図３などに示すように、前記側板部６２の内周には、複数のリブ部６４，６４が周方向に間隔をおいて突出形成される。このように複数のリブ部６４，６４を縦設することにより、前記ペーパーフィルター１０の外周は、前記側板部６２に密着することなく、複数のリブ部６４，６４に部分的に接触する。
【００３７】
前記底板部６１には、抽出されたコーヒー液が落下する複数の透孔６５，６５・・・が穿設される。これら複数の透孔６５，６５・・・は、前記蓋体１６にドリッパー８を装着した状態で、前記蓋体１６の中央開口部５７に連通する。また、前記底板部６１の下面と前記蓋体１６の中央底板部５２との間には、隙間が設けられる。
【００３８】
前記透孔６５の下端は、図７に示すように、前記底板部６１の下面から下方に突出した筒部６６の内部に形成される。このように、前記筒部６６を設けることにより、前記透孔６５を落下するコーヒー液が前記底板部６１の下面に回り込むことなく、前記筒部６６の下端から下方へ落下する。
【００３９】
前記ドリッパー８の下部側には、前記蓋体１６の前記装着受け部５０に装着する装着部６７が設けられる。この装着部６７は、前記中央側板部５３内に嵌入する装着筒部６８及び装着鍔部６９を備える。前記装着筒部６８は、前記側板部６２の下部側外面及び前記装着鍔部６９の下面から下方に向かって円筒状に突設される。そして、装着状態で、前記装着筒部６８の下端は、前記中央底板部５２の上面に当接する。また、前記装着鍔部６９は、前記装着筒部６８の上部において前記側板部６２に周設される。そして、装着状態で、前記装着鍔部６９は、前記外凹部５４内に収納されると共に、その下面が前記外底板部５５に当接する。なお、前記装着筒部６８の外周は円柱状をなし、前記装着鍔部６９の外周は円形をなす。
【００４０】
この場合、図７に示すように、前記装着鍔部６９の下面は中心Ｓから外側に向かって僅かに低くなるように傾斜しており、前記装着鍔部６９の下面の外周側が前記外底板部５５に線接触する。このため、前記装着鍔部６９の下面と前記外底板部５５との間に水の膜が発生することが防止され、前記外底板部５５に装着鍔部６９が密着せず、飲料サーバー１３からドリッパー８を円滑に取り外すことができる。
【００４１】
前記導電レバー２１は、金属製の線材を略Ｕ字形に屈曲して形成される。詳述すると、前記導電レバー２１は、縦方向の左右の腕部７１，７１の下端を湾曲状の横部７２により連結し、それら左右の腕部７１，７１の縦方向中央に屈曲部７３，７３を設けて形成される。この結果、前記導電レバー２１は、正面視で略Ｕ字形であり、側面視で略へ字状である。そして、図２の一点鎖線に示す前記導電レバー２１の待機位置で、前記腕部７１，７１の上部が略垂直な縦方向になると共に、前記腕部７１，７１の下部が斜め前向きになるように構成される。
【００４２】
また、前記庇部５の下面５Ｋの後側には、前記導電レバー２１が遊挿配置された開口部７４が設けられる。この開口部７４の近傍において、左右方向の枢軸部７５により、前記導電レバー２１が前記ケース本体２に揺動可能に枢着される。なお、前記開口部７４には、前記腕部７１，７１の上部中央が挿通され、これらの腕部７１，７１の上端側がケース本体２内に配置される。
【００４３】
そして、図１に示す前記ドリッパー８の装着状態では、このドリッパー８に押された前記導電レバー２１は、下部側が後方に移動するように回動し、前記横部７２が前記ドリッパー８の側板部６２の外面に当接する。一方、前記腕部７１は前記ドリッパー８に当接しない。
【００４４】
そして、前記コーヒーメーカー１は、前記電源スイッチ４９がオンであっても、前記導電レバー２１が待機位置にある場合、前記ミル１７，サーバー加熱手段たる前記ヒーター１２及び前記送湯手段９が作動しないように制御される。一方、前記導電レバー２１がドリッパー装着位置にある場合、電気で駆動する装置の全てを駆動することができる。
【００４５】
前記導電レバー２１の上端には、固定手段たるビス８１により、前記導線２３の一端が連結される。また、前記導線２３の他端は、固定手段たるビス８２とナット８３により、前記底板２２の上面に連結される。このように、前記導線２３は、前記ケース本体２に内蔵される。また、図６に示すように、前記底板２２は、前記ケース本体２の底面全体を構成するように広く形成されている。そして、前記底板２２の前後左右には、合成樹脂製の脚部８４が設けられる。なお、前記導線２３は、導電レバー２１を可動にする程度の可撓性を有する。
【００４６】
図７などに示すように、左右の前記腕部７１，７１の上部には、合成樹脂製のホルダー８５が外嵌される。このホルダー８５は、前記ビス８１により前記腕部７１，７１に固定される。なお、前記ビス８１は、前記導線２３を腕部７１，７１に電気的に接続するものである。また、前記開口部７４には、シリコンゴムやエラストマー樹脂などからなるシール部材８６が設けられる。このシール部材８６は、外枠部８６Ａを有する。そして、この外枠部８６Ａ内に、合成樹脂製の取付部材８７が挿入される。更に、この取付部材８７は、前記庇部５の下面５Ｋの内側に固定される。これによって、前記外枠部８６Ａは、前記下面５Ｋと取付部材８７とで挟持される。この結果、前記外枠部８６Ａは、水密状態で前記開口部７４に嵌合固定される。
【００４７】
また、前記シール部材８６は、前記外枠部８６Ａと内枠部８６Ｂと薄肉部８６Ｃとを一体に備える。前記内枠部８６Ｂは、前記腕部７１，７１に水密状態で外嵌する。また、前記薄肉部８６Ｃは、前記外枠部８６Ａと内枠部８６Ｂの間に設けられる。また、前記薄肉部８６Ｃには、蛇腹状又は波状の余長部が設けられる。これによって、前記薄肉部８６Ｃは、前記導電レバー２１の回動により撓むように形成される。
【００４８】
また、前記ホルダー８５の下部側に前記枢軸部７５が設けられ、この枢軸部７５が、前記ケース本体２に固定された前記取付部材８７に枢着される。更に、前記ホルダー８５の後部には、受け部８５Ａが後方に突設されると共に、前記取付部材８７の後上部には、上板部８７Ａが前方に突設される。そして、これら受け部８５Ａと上板部８７Ａとの間に、前記導電レバー２１を待機位置側に回動付勢する付勢手段たるコイルスプリング８８が設けられる。なお、前記受け部８５Ａの後端が前記取付部材８７の後壁に当接することにより、前記導電レバー２１のそれ以上の揺動が阻止されるので、前記導電レバー２１が待機位置に位置決めされる。
【００４９】
また、前記取付部材８７には、接触検知スイッチ８９が設けられる。前記導電レバー２１が図２の一点鎖線に示す待機位置にある場合、前記ホルダー８５に設けられた作動子（図示せず）が前記スイッチ８９をオフにする。この結果、この接触検知スイッチ８９により前記導電レバー２１が待機位置であることが検知される。一方、前記導電レバー２１が図２の実線に示す、ドリッパー８の装着位置にある場合、導電レバー２１が回動し、前記作動子が前記接触検知スイッチ８９をオンにする。この結果、この接触検知スイッチ８９により前記導電レバー２１が装着位置であることが検知される。このように、前記導電レバー２１は、前記ドリッパー８の有無、即ち、前記蓋体１６に前記ドリッパー８が装着された状態で、前記飲料サーバー１３が加熱板１１に載せられたか、を検知する検知手段を兼ねる。
【００５０】
上述したように、前記導電レバー２１は、待機位置と装着位置との間で回動する。この際、前記薄肉部８６Ｃが変形することにより、前記開口部７４における水密性が確保されるので、該開口部７４からケース本体２の内部に湯気や埃が侵入することが防止される。
【００５１】
次に、前記コーヒーメーカー１の使用方法の一例について説明する。まず、使用者は、前記電源スイッチ４９をオンにする。次に、使用者は、前記ドリッパー８内に前記ペーパーフィルター１０をセットすると共に、前記ドリッパー８を飲料サーバー１３の蓋体１６に装着する。この場合、前記蓋体１６の装着受け部５０に、前記ドリッパー８の下部の装着部６７を嵌入することにより、前記飲料サーバー１３に前記ドリッパー８を安定して装着することができる。
【００５２】
そして、使用者は、前記ドリッパー８を装着した前記飲料サーバー１３を、前記庇部５の下方へ前側から後側に向かって水平に差し入れ、前記飲料サーバー１３を前記載置部４Ａの加熱板１１上に載置する。このように前記ドリッパー８を装着位置にセットすると、このドリッパー８に導電レバー２１が接触した後、この導電レバー２１が装着位置に回動し、これを前記スイッチ８９が検出する。この結果、前記ミル１７，前記ヒーター１２及び前記送湯手段９が作動可能な状態となる。
【００５３】
また、使用者は、前記貯水部６内に、抽出するコーヒー液の杯数に応じた量の水を入れる。更に、前記ミル１７のミル蓋体２６を外し、前記投入口２４から前記ホッパー２５内に所定量のコーヒー豆を入れる。なお、この段階では、前記シャッター４３が前記落下口３２を塞いだ状態であり、前記ミル１７とドリッパー８内とが連通していない。
【００５４】
そして、使用者が前記スイッチ４８を操作すると、以下の動作が順次行われる。まず、シャッター進退手段（図示せず）が、前記落下口３２を開く方向に、前記シャッター４３を移動させる。これによって、前記落下口３２が開き、前記ミル１７が前記ドリッパー８内と連通する。次に、前記ミル１７を作動させる。これによって、前記ミル１７によりコーヒー豆が挽かれてコーヒー粉１１１が得られ、このコーヒー粉１１１が前記落下口３２から前記ドリッパー８のペーパーフィルター１０内に落下供給される。また、前記ミル１７の作動と同時に、前記加熱手段７への通電を開始する。これによって、前記貯水部６内の水が加熱されて湯となる。次に、前記ミル１７がコーヒー豆を全て挽き終わったことを検知すると、このミル１７を停止させると共に、前記シャッター進退手段が、前記落下口３２を閉じる方向に、前記シャッター４３を移動させる。なお、この時点で、前記貯水部６内の水は未だ湯になっていない。次に、前記貯水部６内の水が所定温度の湯になったことを検知すると、前記加熱手段７へ供給する電力を制御して保温状態とし、前記送湯手段９が作動して前記ドリッパー８へ第一回目の給湯を行う。これにより、前記ペーパーフィルター１０内のコーヒー粉１１１は蒸らされる。更に、前記送湯手段９が作動して前記ドリッパー８へ第二回目の送湯を行う。これにより、前記コーヒー粉１１１からコーヒー液が抽出され、前記飲料サーバー１３に貯められる。また、第二回目の送湯と同時に、前記ヒーター１２への通電を開始する。これによって、前記加熱板１１に載置された前記飲料サーバー１３が温められる。なお、前記ヒーター１２への通電は、通電開始から所定時間（例えば３０分間）である。最後に、前記加熱手段７への通電を停止する。
【００５５】
前記ミル１７においては、コーヒー豆を投入する前に前記ダイヤル３４を操作し、好みの粒度に調整しておく。そして、前記ミル１７を作動させるために、図示しないミルモーターを回転駆動すると、前記シューター部２７内のコーヒー豆が、前記ミルスクリュー２９により前記回転刃３０と固定刃３１との間に向けて送られ、これらの回転刃３０と固定刃３１との間で挽かれてコーヒー粉（挽き豆）１１１となる。
【００５６】
このようにして、前記回転刃３０と固定刃３１とによりコーヒー豆を粉砕することで、前記コーヒー粉１１１が帯電する。なお、前記コーヒー粉１１１の粒子は、同じ極性に帯電する。即ち、コーヒー粉１１１の粒子同士が電気的に反発した状態となる。この結果、前記コーヒー粉１１１が前記落下口３２から落下する際、前記隙間４６からドリッパー８の外側にこぼれ易くなる。
【００５７】
これに対して、装着位置の前記ドリッパー８に前記導電レバー２１が接しているため、前記ペーパーフィルター１０内に落下した前記コーヒー粉１１１の電荷は、前記ペーパーフィルター１０から前記ドリッパー８と前記導電レバー２１と導線２３を経て底板２２に移動して、これに貯められる。なお、この底板２２に貯められた電荷は、徐々に外部に自然放電される。この結果、前記ペーパーフィルター１０内に貯められたコーヒー粉１１１は、帯電していない状態となる。従って、前記落下口３２から落下してくる前記コーヒー粉１１１は、前記ペーパーフィルター１０内に貯められたコーヒー粉１１１によって反発されることがない。このため、前記コーヒー粉１１１が前記ドリッパー８から漏れ難くすることができる。なお、前記ペーパーフィルター１０の材質である紙は、僅かに電気を通すことができるので、導電材料と見なすことができる。このため、前記コーヒー粉１１１の電荷は、前記ペーパーフィルター１０から前記ドリッパー８を介して前記導電レバー２１に逃がすことができる。
【００５８】
なお、落下中のコーヒー粉１１１の粒子同士は、未だ帯電しているため、広がりながら落下することになる。しかしながら、前述したとおり、落下中のコーヒー粉１１１と前記ペーパーフィルター１０内に貯められたコーヒー粉１１１は反発しない。即ち、落下中のコーヒー粉１１１が広がる電気的要素は、落下中のコーヒー粉１１１自体の電荷のみである。従って、下方からの反発力がないため、落下中のコーヒー粉１１１の広がりが抑えられる。このため、前記隙間４６の距離が適正であれば、広がって落下するコーヒー粉１１１を前記ペーパーフィルター１０で十分受けることができるので、前記コーヒー粉１１１が前記ドリッパー８から漏れ難くすることができる。
【００５９】
なお、前記ミルモーターに流れる電流を検知することで、コーヒー豆の挽き終わりを判断することができる。そして、コーヒー豆が挽き終わったと判断されると、前記ミル１７は停止する。
【００６０】
一方、コーヒー豆が接触する前記回転刃３０と固定刃３１又はその周辺の部材は、コーヒー粉１１１と逆の極性に帯電する。しかしながら、周囲の物体との間で電荷の授受が行われることで、長期的に、電気的中性に戻る。
【００６１】
前述したように、前記ミル１７が停止すると、前記シャッター進退手段が前記シャッター４３を動かすことで、このシャッター４３が前記落下口３２を塞ぐ。そして、前記シャッター４３が前記落下口３２を塞いだ後、前記貯水部６内の水は、前記加熱手段７によって、コーヒー液の抽出に適した所定の温度（８５〜９０℃）の湯となる。この貯水部６内の湯が所定の温度に達したことが温度センサ（図示せず）により検知されると、前記加熱手段７への通電を制御（オン−オフ制御）して保温状態とした後、前記貯水部６内の湯が前記送湯手段９により前記送液路を介して前記湯供給部１８に送られ、複数の前記ノズル４５から、湯が斜め下方に向かって噴射される（第一回目の給湯）。この噴射による第一回目の給湯が、所定時間、例えば８秒間連続して行われた後、所定蒸らし時間、給湯が停止する。この間、コーヒー粉１１１が蒸らされる。
【００６２】
所定の蒸らし時間が経過したら、前記貯水部６内の湯を全て連続給湯する（第二回目の給湯）。なお、前述した通り、前記貯水部６内の水の量が、抽出するコーヒー液の杯数に応じた量であるので、前記貯水部６内の全ての湯を前記ドリッパー８に供給すれば、所定の杯数のコーヒー液が得られることになると共に、前記貯水部６内が空になる。そして、前記貯水部６内の湯が全て送られた後、前記加熱手段７への通電は停止する。
【００６３】
前記ドリッパー８において抽出されたコーヒー液は、前記ドリッパー８の透孔６５と前記飲料サーバー１３の蓋体１６の中央開口部５７を通過して、前記飲料サーバー１３内に溜まる。そして、この飲料サーバー１３内に溜められたコーヒー液は、前記ヒーター１２によって保温される。
【００６４】
以上のように本実施例は、本体たるケース本体２と、このケース本体２に取り付けられたミル１７と、このミル１７によって挽かれた豆を受ける抽出具としてのドリッパー８及びペーパーフィルター１０とを有するコーヒーメーカー１において、前記ケース本体２に導電材料からなる接触部材たる導電レバー２１が設けられ、前記ドリッパー８が導電材料により構成され、このドリッパー８が前記導電レバー２１に接触すると共に、前記ケース本体２に電荷を一時的に貯める貯電部材たる底板２２が設けられ、この底板２２が前記導電レバー２１と電気的に接続されるものであり、前記ミル１７によって挽かれて帯電したコーヒー粉１１１が前記フィルター１０に接触すると、前記コーヒー粉１１１の電荷が前記ペーパーフィルター１０から前記ドリッパー８及び前記導電レバー２１を経て前記底板２２に移動した後、この底板２２から外部に自然放電される。この結果、コーヒー粉１１１同士が反発し難くすることができるので、落下するコーヒー粉１１１がドリッパー８から漏れ難くすることができる。
【００６５】
また、前記ドリッパー８が導電性合成樹脂で構成されるものであり、抽出に適した形状のドリッパー８を容易に形成することができる。
【００６６】
この場合、例えばドリッパー８の内部には、リブ部６４が形成され、構造上の理由から、金属製の場合、プレスにしても鋳造にしても、製作が難しく、コストも高くなる。これに対して、抽出に適した形状のドリッパー８を樹脂成型により安価に製造することができる。
【００６７】
また、接触部材たる前記導電レバー２１が、前記ドリッパー８の有無を検知する検知手段を兼ねるものであり、部品の増加を抑えながら、前記コーヒーメーカー１を正常に作動させることができる。
【００６８】
以下、実施例上の効果について説明する。前記容器本体１４の底板部５８に、この底板部５８より径小なリング状の段差部５９が下方に膨出形成され、この段差部５９が遊嵌するリング状の内縁枠６０が前記ヒーター１２の上面に突出形成され、載置状態で前記容器本体１４の段差部５９が前記ヒーター１２側の内縁枠６０に囲まれるから、前記加熱板１１に前記飲料サーバー１３を位置決め状態で載置することができ、この飲料サーバー１３に装着した前記ドリッパー８を、前記導電レバー２１により確実に検出することができる。また、前記ドリッパー８と前記庇部５の下面５Ｋとの間に隙間４６が設けられているから、前記ドリッパー８内のコーヒー粉１１１に湯が注がれて膨らむ様子を見ることができる。更に、前記導電レバー２１が待機位置にある状態では、前記ミル１７，サーバー加熱手段たるヒーター１２及び送湯手段９が作動しないから、前記ドリッパー８及び飲料サーバー１３を装着しない状態での誤操作を防止できる。また、接触部たる前記導電レバー２１の先端の横部７２が凸状の湾曲状に形成されているから、仮に、ドリッパー８を装着した飲料サーバー１３を、前後方向に対して斜め又は左右方向から前記加熱板１１上に載置しても、導電レバー２１を装着位置に回動させることができる。更に、前記導電レバー２１は金属丸棒をＵ字形に屈曲形成してなるから、構造簡易にして安価に製造できる。
【００６９】
更に、前記蓋体１６の装着受け部５０に、前記ドリッパー８の下部の装着部６７を嵌入することにより、前記飲料サーバー１３に前記ドリッパー８を安定して装着することができる。また、前記底板２２を、前記ケース本体２を構成する合成樹脂より比重が大きいステンレス製とすることにより、前記底板２２が錘になるため、安定してコーヒーメーカー１を設置することができる。更に、前記底板部６１の下面から下方に筒部６６を突設し、この筒部６６に透孔６５が穿設されるから、前記筒部６６によって前記透孔６５を落下するコーヒー液が前記底板部６１の下面に回り込むことなく、前記筒部６６の下端から下方へ落下せしめることができる。
【００７０】
また、前記庇部５の下面５Ｋに設けられた前記開口部７４に、前記シール部材８６を設けたから、前記開口部７４に前記導電レバー２１を可動に設けながら、前記ケース本体２内への湯気や埃などの侵入を前記シール部材８６により防止することができる。更に、前記ドリッパー８の装着状態で、このドリッパー８と庇部５との間に前記隙間４６が設けられるから、前記加熱板１１上への前記飲料サーバー１３の出し入れを容易に行うことができる。また、接触部材たる前記導電レバー２１が断面円形の金属線材で構成されると共に、本体たる前記ケース本体２に対し可動に設けられるものであり、前記導電レバー２１を細い形状に形成することができ、この結果、前記導電レバー２１を設けるために前記ケース本体２に形成される隙間たる前記開口部７４を狭くして、仮に前記シール部材８６が無くても、前記ドリッパー８から前記ケース本体２内に入る湯気の量を少なくすることができる。
【実施例２】
【００７１】
図８は本発明の実施例２を示し、上記実施例１と同一部分に同一符号を付し、その説明を省略して詳述する。
【００７２】
この例では、ケース本体２の立設部３の前面に、前後方向の挿通孔１０１を設け、この挿通孔１０１に丸棒状の接触部材である導電部材１０２を前後方向進退自在に設けると共に、待機位置である前側に付勢する付勢手段（図示せず）をケース本体２に設ける。なお、前記導電部材１０２は金属線材などからなる。
【００７３】
そして、図８に示すように、ドリッパー８の装着位置で前記導電部材１０２の前端が前記ドリッパー８に接触すると共に、前記導電部材１０２が後方に移動する。この導電部材１０２の後方への移動を検出することにより、この導電部材１０２に検知手段を兼ねさせることができる。なお、前記ドリッパー８を前記ケース本体２から外すと、前記導電部材１０２は前記付勢手段により待機位置である前側に移動する。
【００７４】
このように、本実施例では、本体たる前記ケース本体２に導電材料からなる接触部材たる導電部材１０２が設けられており、上記実施例１と同様な作用・効果を奏する。
【００７５】
また、前記導電部材１０２を棒状に形成すると共に、この棒状の導電部材１０２が横方向にスライドする構成にすれば、開口部たる前記挿通孔１０１が小さく済み、更に、この挿通孔１０１が前記ドリッパー８の上端より下方位置に設けられるから、前記挿通孔１０１から内部に湯気や埃などが入り難くなる。
【００７６】
なお、本発明は以上の実施例に限定されるものではなく、発明の要旨の範囲内で種々の変実施が可能である。例えば、接触部材に用いる導電材料は、実施例で示した金属が好ましいが、導電性合成樹脂などでも良い。また、貯電部材は、コーヒー豆を挽くことにより発生する静電気を貯めておくことができるのに十分な体積の金属部品であれば、底板でなくても良い。例えば、加熱手段たるヒーター１２を鋳込んだアルミブロック等を貯電部材としても良い。また、底板を合成樹脂製とし、転倒防止用の金属製錘をケース本体の下部に設け、この錘を貯電部材としても良い。また、接触部材は、ドリッパーに接触可能な位置であれば、本体のどこに設けても良く、例えば、本体の立設部の前面に、実施例１の接触部材を揺動可能に設けても良い。更に、上記実施例では、ドリッパーは飲料サーバーに載せられるが、ドリッパーを本体に取り付けてもよく、例えば、背景技術に記載した飲料抽出容器のように、ドリッパーを収納ケース内に収納し、この収納ケースの左右方向一側を縦方向の枢軸により本体に回動可能に取り付け、前記収納ケースを前記ドリッパーと共に回動することにより、前記本体に対して出没自在に設けても良い。また、上記実施例では、ミルは臼式のものを示したが、ブレード式のミルであっても良い。更に、上記実施例では、導電レバーが待機位置にある状態では、ミル，サーバー加熱手段たるヒーター及び送湯手段が作動しないようにしたが、装置全体が作動しないようにしても良い。また、実施例２の導電部材は、棒状以外でも、板状や、実施例１と同様に金属線材をＵ字状に屈曲形成したものなどでも良い。更に、上記実施例では、接触部材と貯電部材を導線で電気的に接続したが、金属板などにより電気的に接続しても良い。更にまた、上記各実施例では、抽出具はドリッパーであるが、他の方式の抽出具、例えばサイフォン式コーヒーメーカーのサイフォンであっても良い。
【符号の説明】
【００７７】
１  コーヒーメーカー
２  ケース本体（本体）
８  ドリッパー（抽出具）
１０  ペーパーフィルター（抽出具）
１７  ミル
２１  導電レバー（接触部材・検知手段）
２２  底板（貯電部材）
１０２  導電部材（接触部材・検知手段）
１１１  コーヒー粉
【図１】
2020031852.tif 000003
【図２】
2020031852.tif 000004
【図３】
2020031852.tif 000005
【図４】
2020031852.tif 000006
【図５】
2020031852.tif 000007
【図６】
2020031852.tif 000008
【図７】
2020031852.tif 000009
【図８】
2020031852.tif 000010